(57)【特許請求の範囲】
【請求項１】
縫合材料が先端が閉塞された袋状に縫い合わされてなり、ステープルラインを有する自動縫合器に装着されることを特徴とする医療用縫合材。
【請求項２】
１枚の縫合材料が袋状に縫い合わされていることを特徴とする請求項１記載の医療用縫合材。
【請求項３】
縫合材料が不織布、織布、ニットから選ばれる少なくとも１種よりなることを特徴とする請求項１記載の医療用縫合材。
【請求項４】
縫合材料が合成高分子よりなることを特徴とする請求項１または請求項３記載の医療用縫合材。
【請求項５】
合成高分子が生体吸収性高分子であることを特徴とする請求項４記載の医療用縫合材。
【請求項６】
生体吸収性高分子がポリグリコール酸であることを特徴とする請求項５記載の医療用縫合材。
【請求項７】
縫合材料が生体組織の一部よりなることを特徴とする請求項１記載の医療用縫合材。
【請求項８】
生体組織が臓器保護膜であることを特徴とする請求項７記載の医療用縫合材。
【請求項９】
生体組織が心のう膜であることを特徴とする請求項８記載の医療用縫合材。
【発明の詳細な説明】
【０００１】
【産業上の利用分野】
本発明は、生体組織の切除部位等に縫い合わされる医療用縫合材に関するものであり、特に自動縫合器に装着して使用される医療用縫合材に関するものである。
【０００２】
【従来の技術】
生体組織に生じた病巣の切除は、外科的手術によるのが一般的であるが、患者に対する負担の軽減などを目的に、内視鏡下での手術等が施術されるようになってきている。
【０００３】
例えば、自動縫合器を用いた切除術等は、その一例である。自動縫合器は、穿孔から生体内へ導入され、患部を切除すると同時に切除部位の縫合を行うものであり、これを用いることで患部の切開が不要となるという利点がある。したがって、上記自動縫合器は、先端に生体組織の切除部位を挟み込む縫合機構部を有し、さらにこの縫合機構部には、縫合のための複数のステープルラインや生体組織の切断機構（例えばナイフ）が設けられている。
【０００４】
勿論、外科的手術においても、前記自動縫合器の使用は、縫合、切開時間の短縮や、施術の簡便化に有利である。
【０００５】
ところで、肺、気管支、肝臓、消化管等の脆弱な組織に対して前述の自動縫合器で施術する場合、ステープルによる縫合のみでは、組織の断裂の虞があり、また、例えば肺の手術においては、空気漏れが発生する虞がある。前記空気漏れは、患者にとって致命的であり、これを確実に防止することが望まれる。
【０００６】
そこで従来、前記自動縫合器に縫合材を装着しておき、これを生体組織の切除部位にステープルで縫い合わせるということが行われている。
【０００７】
この場合、縫合材を自動縫合器に装着可能とし、確実に患部に到達させるためには、何らかの工夫が必要であり、例えば、フェルト状の縫合材に伸縮性ニットを重ね、これらを仮縫い糸で両側縁に沿って縫い付け、筒状にしたものが提案されている。
【０００８】
【発明が解決しようとする課題】
しかしながら、伸縮性ニットを縫い付けて自動縫合器への装着を可能とした縫合材では、自動縫合器を生体内に挿入して患部へ導入する際に、挿入方向で収縮し自動縫合器の基端側に片寄ったり、自動縫合器の周囲で回転（いわゆるツイスト）する等の不都合が発生している。
【０００９】
縫合材に片寄りや回転が生ずると、的確な処置が難しく、特に内視鏡下のような限られた視野での施術の際に、大きな問題となる。
【００１０】
そこで本発明は、このような実情に鑑みて提案されたものであって、自動縫合器の挿入時に片寄りや回転による不都合が発生することがなく、例えば肺の手術に用いた場合に空気漏れを確実に防止することが可能な医療用縫合材を提供することを目的とする。
【００１１】
【課題を解決するための手段】
前述の目的を達成するために、本発明の医療用縫合材は、縫合材料が先端が閉塞された袋状に縫い合わされてなり、ステープルラインを有する自動縫合器に装着されることを特徴とするものである。
【００１２】
本発明の縫合材において、その主体となる縫合材料には、フェルトのような不織布や、織布、ニット等、ある程度の柔軟性、伸縮性を有するものであれば任意の形態のものが使用でき、その材質も公知のものがいずれも使用できるが、術後を考えると、ポリグリコール酸のような生体吸収性高分子や、生体組織の一部、例えば心のう膜等の臓器保護膜を用いることが望ましい。
【００１３】
上述の縫合材は、例えば１枚の布状の縫合材料を袋状に縫い合わせて形成される。
【００１４】
【作用】
本発明の縫合材は、先端が閉塞された袋状に縫い合わされたものであるため、自動縫合器挿入の際に挿入方向に収縮することによる片寄りが発生することはない。
【００１５】
また、特に、１枚の縫合材料を袋状に縫い合わせた縫合材は、全周に亘り縫合材料のみによって構成されるため、不用意に回転（ツイスト）したとしても問題はない。
【００１６】
【実施例】
以下、本発明を適用した具体的な実施例について、図面を参照しながら詳細に説明する。
【００１７】
実施例１
本実施例の医療用縫合材１は、図１に示すように、例えば吸収性ポリグリコール酸のフェルト（例えば、グンゼ社製、商品名ネオベール等）よりなる１枚の主縫合材２を先端が閉塞された袋状に縫合せてなるものであり、極めてシンプルな構成を有するものである。
【００１８】
ここで、主縫合材２には、前記吸収性ポリグリコール酸のような生体吸収性高分子の他、従来縫合材として用いられているものがいずれも使用可能である。例えば、心のう膜等の臓器保護膜のような生体組織の一部を使用することも可能である。
【００１９】
前記主縫合材２は、後述の自動縫合器の装着部位の長さとほぼ等しい長さを有し、２つ折りにして、幅方向一側縁に沿って縫糸３によって縫い合わされている。
【００２０】
前記縫糸３は、抜き取り易さを考慮すると、いわゆるモノフィラメントがよく、その材質は任意である。例えば、生体吸収性ポリマーの糸や、滑り性の良好なポリアミド糸（いわゆるナイロン糸）等が好適である。
【００２１】
上述の構成を有する医療用縫合材は、自動縫合器に装着して使用される。そこで次に、自動縫合器の構造、並びに本実施例の医療用縫合材の使用方法について説明する。
【００２２】
自動縫合器は、図２に示すように、シャフト１１の先端に開閉自在な縫合部１２を有してなるものであって、基端部には把持・操作するための操作部１３が設けられている。
【００２３】
前記縫合部１２は、図３に示すように、ステープルが収容されたカートリッジやナイフブレードが装填される縫合機構部１２ａ及び生体組織を挟み込むための顎部１２ｂとからなり、縫合機構部１２ａの挟み込み面には、複数（本例では、３列×３列＝６列）のステープルライン１４やナイフの走査ライン１５が臨んでいる。
【００２４】
この自動縫合器は、サージポートと称されるアタッチメントを介して生体内に導入される。すなわち、先ず、生体に設けた穿孔にサージポートを装着し、このサージポートを通して自動縫合器のシャフト１１を生体内へと挿入する。これによって、生体に設けた穿孔の密閉が保たれる。
【００２５】
先の医療用縫合材１は、前記自動縫合器の縫合部１２に装着して使用される。図４は、縫合材１を自動縫合器の縫合部１２に装着した状態を示すもので、縫合機構部１２ａ及び顎部１２ｂにそれぞれ縫合材１が取り付けられる。
【００２６】
縫合材１の縫合部１２への装着は、袋状の縫合材１を縫合部１２に被せることで円滑に行うことができる。
【００２７】
この状態で、先に述べたようにサージポートを介して自動縫合器を生体内へと挿入し、患部へと到達させる。このとき、自動縫合器に装着される縫合材１は、袋状のものを閉塞された部分より押し込むかたちになっているので、収縮による片寄りやツイストが発生することはない。
【００２８】
縫合部１２を患部へ導入した後、図５に示すように、生体組織２０の切除部位を縫合機構部１２ａ及び顎部１２ｂによって挟み込む。これによって、前記切除部位は主縫合材２で覆われることになる。
【００２９】
次に、自動縫合器の操作部１３に設けられた操作レバー１３ａを操作し、前記ステープルライン１３からステープルを打針する。
【００３０】
これによって、生体組織２０の切除部位に沿ってステープルが打針され、縫合処置が施されるが、このとき、同時に縫合部１２に装着された縫合材１の主縫合材２が生体組織２０の切除部位に押し当てられ、前記ステープルによって縫合される。
【００３１】
前記主縫合材２は、縫合の際の補強材として機能し、生体組織２０の切断部分をこの主縫合材２を介して縫合することで、組織の断裂が防止され、例えば巨大肺のう胞の切除術等においては、空気漏れが防止される。
【００３２】
次いで、縫合機構部１２ａに設けられたナイフを走査ライン１５に沿って走査し、生体組織２０及び主縫合材２を切断する。
【００３３】
以上によって縫合処置が完了するが、本例の縫合材１を用いることによって、縫合操作を円滑に進めることができ、しかも確実に縫合部位の補強、空気漏れの防止を行うことができる。図６は、縫合終了状態を示すものであり、生体組織２０の縫合部位には、主縫合材２が縫い合わされ、縫合状態が極めて安定なものとなっている。
【００３９】
以上、本発明の具体的な実施例について説明してきたが、本発明がこの実施例に限られるものではなく、材質、形状等において種々の変形が可能であることは言うまでもない。
【００４０】
【発明の効果】
以上の説明からも明らかなように、本発明の縫合材においては、自動縫合器挿入時に発生する縮みによる片寄りを防止することができる。また、ツイストが発生したとしても、常に縫合材料が患部に当接される。
【００４１】
したがって、本発明の縫合材を用いることによって、縫合部位の補強を確実に行うことができ、組織の断裂や空気漏れを抑えることが可能である。
【図面の簡単な説明】
【図１】  本発明を適用した縫合材の一例を示す概略斜視図である。
【図２】  自動縫合器の一例を示す概略斜視図である。
【図３】  自動縫合器の縫合機構部の要部概略斜視図である。
【図４】  縫合材の自動縫合器への装着状態を示す概略斜視図である。
【図５】  自動縫合器による縫合操作状態を示す概略斜視図である。
【図６】  縫合処置終了状態を示す概略斜視図である。
【図１】
0003795100.tif 000002
【図２】
0003795100.tif 000003
【図３】
0003795100.tif 000004
【図４】
0003795100.tif 000005
【図５】
0003795100.tif 000006
【図６】
0003795100.tif 000007